【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
中央ユニット（ＣＵ）は、無線ベアラ上でパケットデータ収束プロトコル（ＰＤＣＰ）複製送信を実行する必要があると決定するステップと、
前記ＣＵは、分散ユニット（ＤＵ）に前記無線ベアラ上で送信されるＰＤＣＰデータパケットを送信し、前記ＤＵにＰＤＣＰ複製送信を実行するよう指示するステップとを備えることを特徴とする複製送信の方法。
【請求項２】
前記ＣＵが、ＤＵに前記無線ベアラ上で送信されるＰＤＣＰデータパケットを送信し、前記ＤＵにＰＤＣＰ複製送信を実行するよう指示する場合、
前記無線ベアラがシグナリング無線ベアラ（ＳＲＢ）であれば、前記ＣＵは、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示し、または、
前記無線ベアラがデータ無線ベアラ（ＤＲＢ）であれば、前記ＣＵは、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示することを特徴とする請求項１に記載の複製送信の方法。
【請求項３】
前記ＣＵが、ＤＵに前記無線ベアラ上で送信されるＰＤＣＰデータパケットを送信し、前記ＤＵにＰＤＣＰ複製送信を実行するよう指示する前に、
前記ＣＵは、端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知することを特徴とする請求項１に記載の複製送信の方法。
【請求項４】
前記ＣＵが、Ｆ１インターフェイスメッセージにより、前記無線ベアラがＰＤＣＰ複製送信をサポートすることを前記ＤＵに通知する場合、
前記ＣＵは、端末（ＵＥ）のベアラ確立プロセスまたはＵＥベアラ更新プロセスにおいて、Ｆ１インターフェイスメッセージにより、前記無線ベアラがＰＤＣＰ複製送信をサポートすることを前記ＤＵに通知することを特徴とする請求項３に記載の複製送信の方法。
【請求項５】
ＤＵは、ＣＵによって送信された、無線ベアラ上で送信される必要があるＰＤＣＰデータパケット、およびＰＤＣＰ複製送信の実行を指示するための情報を受信するステップと、
前記ＤＵは、前記ＰＤＣＰデータパケットを、ＰＤＣＰ複製送信のために、前記無線ベアラに対応する複数の無線リンクレイヤー制御（ＲＬＣ）エンティティに送信するステップとを備えることを特徴とする複製送信の方法。
【請求項６】
前記ＤＵが、ＣＵによって送信された、無線ベアラ上で送信される必要があるＰＤＣＰデータパケット、および前記ＤＵがＰＤＣＰ複製送信を実行することを指示するための情報を受信する場合、
前記無線ベアラがＳＲＢであれば、前記ＤＵは、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、前記ＤＵは、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定することを特徴とする請求項５に記載の複製送信の方法。
【請求項７】
前記ＤＵが、ＣＵによって送信された、無線ベアラ上で送信される必要があるＰＤＣＰデータパケット、および前記ＤＵがＰＤＣＰ複製送信を実行することを指示するための情報を受信する前、
前記ＤＵは、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立することを特徴とする請求項５に記載の複製送信の方法。
【請求項８】
前記ＤＵがＦ１インターフェイスメッセージによって前記ＣＵの無線ベアラがＰＤＣＰ複製送信をサポートしているという通知を受信した後、
前記無線ベアラがＤＲＢであれば、前記ＤＵは、各論理チャネルに異なるトランスポートネットワークレイヤーアドレス（ＴＮＬ）アドレスを割り当てることを特徴とする請求項７に記載の複製送信の方法。
【請求項９】
無線ベアラ上でＰＤＣＰ複製送信を実行する必要があると決定するように構成されたモジュールと、
ＤＵに前記無線ベアラ上で送信されるＰＤＣＰデータパケットを送信し、前記ＤＵにＰＤＣＰ複製送信を実行するよう指示するように構成された通知モジュールとを備えることを特徴とする複製送信の装置。
【請求項１０】
前記無線ベアラがＳＲＢであれば、Ｆ１制御プレーンによりＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定することを特徴とする請求項９に記載の複製送信の装置。
【請求項１１】
端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知することを特徴とする請求項９に記載の複製送信の装置。
【請求項１２】
ＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知することを特徴とする請求項１１に記載の複製送信の装置。
【請求項１３】
ＣＵによって送信された、無線ベアラ上で送信される必要があるＰＤＣＰデータパケット、およびＰＤＣＰ複製送信の実行を指示するための情報を受信するように構成された受信モジュールと、
ＰＤＣＰ複製送信のために、前記ＰＤＣＰデータパケットを前記無線ベアラに対応する複数のＲＬＣエンティティに送信するように構成された処理モジュールとを備えることを特徴とする複製送信の装置。
【請求項１４】
前記処理モジュールは、
前記無線ベアラがＳＲＢであれば、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定することを特徴とする請求項１３に記載の複製送信の装置。
【請求項１５】
前記処理モジュールは、
ＤＵは、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立することを特徴とする請求項１３に記載の複製送信の装置。